(57)【要約】【課題】地上波デジタル放送受信機において、チャンネル番号が重複する域内及び域外の放送局から放送信号を受信可能な場合に、放送局の選択を容易にすることにある。【解決手段】同一チャンネル番号が割り当てられた域内及び域外の放送局から放送信号を受信する地上波デジタル放送受信機において、各放送局をリモートコントローラの数字ボタンに割り当て、域内及び域外の放送局の放送局名と、各放送局に割り当てられた数字ボタンの数字とをＯＳＤ表示し、数字ボタンからの前記数字の入力によりいずれかの放送局を選択することを特徴とする地上波デジタル放送受信機。【選択図】      図４
2004312207.tif 000002
【特許請求の範囲】
【請求項１】
同一チャンネル番号が割り当てられた域内及び域外の放送局から放送信号を受信する地上波デジタル放送受信機において、
複数の放送局から受信可能なチャンネル番号が選択された場合には域内の放送局を選択するとともに、
各放送局をリモートコントローラの数字ボタンに割り当て、域内及び域外の放送局の放送局名と、各放送局に割り当てられた数字ボタンの数字とをＯＳＤ表示し、数字ボタンからの前記数字の入力によりいずれかの放送局を選択することを特徴とする地上波デジタル放送受信機。
【請求項２】
同一チャンネル番号が割り当てられた域内及び域外の放送局から放送信号を受信する地上波デジタル放送受信機において、
各放送局をリモートコントローラの数字ボタンに割り当て、域内及び域外の放送局の放送局名と、各放送局に割り当てられた数字ボタンの数字とをＯＳＤ表示し、数字ボタンからの前記数字の入力によりいずれかの放送局を選択することを特徴とする地上波デジタル放送受信機。
【請求項３】
複数の放送局から受信可能なチャンネル番号が選択された場合には、域内の放送局を選択する、請求項２に記載の地上波デジタル放送受信機。
【発明の詳細な説明】
【０００１】
【発明の属する技術分野】
本発明は、地上波デジタル放送受信機、特に、同一チャンネル番号が割り当てられた域内及び域外の複数の放送局から放送信号を受信する地上波デジタル放送受信機に関する。
【０００２】
【従来の技術】
地上波デジタル放送では、各都道府県において域内の放送局ごとに３桁のチャンネル番号が割り当てられ、域外において近隣の都道府県では重複するチャンネル番号が放送局に割り当てられる場合がある。従って、越境受信が可能な場合、域内及び域外の同一のチャンネル番号の複数の放送局から放送を受信する場合がある。これらを区別するために、複数の同一チャンネル番号の複数の放送局を枝番号により区別、すなわち、３桁のチャンネル番号に枝番号を付加した擬似的な４桁番号によって区別している。この場合、選択可能な放送局のリストを画面にＯＳＤ表示し、選択させる方法が考えられるが、十字ボタン、決定ボタン等で選択することは視聴者にとって非常に面倒である。
【０００３】
特許文献１には、ＢＳ放送とＣＳ放送とに重複するチャンネル番号がある場合に、放送元（ＢＳ又はＣＳ）とチャンネル番号とを組にしてＯＳＤ表示し、放送局の選択を容易する選局装置が記載されている。
【０００４】
特許文献２には、同一のチャンネル番号で送信されるアナログ放送及びデジタル放送の複数の番組がある場合に、チャンネル番号とともに選択可能なプログラムをＯＳＤ表示し、番組の選択を容易する選局装置が記載されている。
【０００５】
【特許文献１】
特開２００２−９４８８９号公報（第７頁、第１３図）
【０００６】
【特許文献２】
特開２００２−３３９７０号公報（第３頁、第３図）
【０００７】
【発明が解決しようとする課題】
特許文献１には、ＢＳ放送とＣＳ放送とに重複するチャンネル番号がある場合の放送局の選局について記載されているが、地上波デジタル放送の越境受信の場合に異なる地域のチャンネル番号（３桁番号）が重複する場合の放送局の選局については記載されていない。
【０００８】
また、特許文献２に記載のデジタル放送受信機でも、アナログ放送及びデジタル放送の複数の番組の選択については記載されているが、地上波デジタル放送の越境受信の場合に異なる地域のチャンネル番号（３桁番号）が重複する場合の放送局の選局については記載されていない。
【０００９】
本発明の目的は、地上波デジタル放送受信機において、チャンネル番号が重複する域内及び域外の放送局から放送信号を受信可能な場合に、放送局の選択を容易にすることにある。
【００１０】
【課題を解決するための手段】
第１発明に係る地上波デジタル放送受信機は、同一チャンネル番号が割り当てられた域内及び域外の放送局から放送信号を受信する地上波デジタル放送受信機において、以下の特徴を有する。即ち、複数の放送局から受信可能なチャンネル番号が選択された場合には域内の放送局を選択する。各放送局をリモートコントローラの数字ボタンに割り当て、域内及び域外の放送局の放送局名と、各放送局に割り当てられた数字ボタンの数字とをＯＳＤ表示する。
【００１１】
この地上波デジタル放送受信機によれば、同一チャンネルを有する域内及び域外の各放送局をリモートコントローラの数字ボタンに割り当て、域内及び域外の放送局の放送局名と、各放送局に割り当てられた数字ボタンの数字とをＯＳＤ表示する。従って、ユーザは、ＯＳＤ表示から放送局名に対応する数字を確認し、この数字をリモコンの数字ボタンから入力することにより、越境受信の場合も放送局の選択を容易にできる。
【００１２】
また、越境受信可能なチャンネル番号を選択した場合には、まず、多くのユーザにとって選択の可能性が高い域内の放送局を選択することにより、チャンネル番号選択後の放送局の選択の処理を省略することができ、放送局の選択をより効率的に行うことができる。
【００１３】
第２発明に係る地上波デジタル放送受信機は、同一チャンネル番号が割り当てられた域内及び域外の放送局から放送信号を受信する地上波デジタル放送受信機において、以下の特徴を有する。即ち、各放送局をリモートコントローラの数字ボタンに割り当てる。また、域内及び域外の放送局の放送局名と、各放送局に割り当てられた数字ボタンの数字とをＯＳＤ表示する。そして、数字ボタンからの数字の入力によりいずれかの放送局を選択する。
【００１４】
この地上波デジタル放送受信機によれば、同一チャンネルを有する域内及び域外の各放送局をリモートコントローラの数字ボタンに割り当て、域内及び域外の放送局の放送局名と、各放送局に割り当てられた数字ボタンの数字とをＯＳＤ表示する。従って、ユーザは、ＯＳＤ表示から放送局名に対応する数字を確認し、この数字をリモコンの数字ボタンから入力することにより、越境受信の場合も放送局の選択を容易にできる。
【００１５】
第３発明に係る地上波デジタル放送受信機は、第２発明に係る地上波デジタル受信機において、複数の放送局から受信可能なチャンネル番号が選択された場合には、域内の放送局が選択される。
【００１６】
この地上波デジタル放送受信機では、越境受信可能なチャンネル番号を選択した場合には、まず、多くのユーザにとって選択の可能性が高い域内の放送局を選択することにより、放送局の選択を効率的に行うことができる。
【００１７】
【発明の実施の形態】
（１）構成
図１は、本発明の一実施形態に係る地上波デジタル放送受信機１の機能ブロック図である。この受信機１は、チューナ２と、デジタルデコーダ３と、ＯＳＤ回路４と、メモリ５と、制御部６と、操作部７と、赤外線受信部８とを備えている。チューナ２は、所望のチャンネルに対応する周波数帯域の地上波デジタル放送信号を受信する。具体的には、チューナ２は、アンテナ９により受信される放送信号の供給を受け、ユーザが制御部６に入力した指令に応じて３桁のチャンネル番号の選択及び枝番号の選択を行い、入力したチャンネルに対応する周波数帯域の放送信号を受信して、中間周波数（ＩＦ）に変調してデジタルデコーダ３に出力する。デジタルデコーダ３は、チューナ２により受信した放送信号を復号する。ＯＳＤ回路４は、制御部６からの指令により表示装置１１に放送信号を出力するとともに、受信可能な放送局の枝番号及び受信中の放送局名を表示させるためのＯＳＤ表示信号を出力する。メモリ５は、放送信号の各チャンネルの発信周波数やチャンネル構成情報を記憶する。またメモリ５は、ＯＳＤ表示に関する情報を記憶している。制御部６は、ＣＰＵからなり、各部の制御を行う。具体的には、制御部６は、操作部７及び赤外線受信部８により受け付けた指示に応じて、各チャンネルの周波数帯域に関する情報や受信したチャンネル情報をメモリ５に記憶させ、これらの情報をチャンネル選局時等において必要に応じて参照する。また、制御部６は、チャンネル情報を解析して、３桁のチャンネル番号及び１桁の枝番号に関する情報を取得する。表示装置１１は、テレビジョン受像機の表示画面を用いてもよいし、ＣＲＴ、ＬＣＤ、ＰＤＰを用いてもよい。操作部７は、受信機１の本体に設けられたボタン群からユーザの入力を受け付け、ユーザからの入力を制御部６に出力する。赤外線受信部８は、リモコン１０から赤外線を受信し、赤外線に基づく電気信号を制御部６に出力する。
【００１８】
図２は、リモコン１０の模式図である。リモコン１０は、数字ボタン１０１と、十字ボタン１０２と、アップダウンボタン１０３とを有している。数字ボタン１０１は、「０」から「９」までのボタンと、１０と０とが割り当てられたボタンと、１１と※が割り当てられたボタンと、１２と♯が割り当てられたボタンとを有しており、例えば、チャンネル番号を直接入力するために使用される。十字ボタン１０２は、上下ボタン１０２ａと左右ボタン１０２ｂと決定ボタンを含んでおり、例えば、複数の選択肢がＯＳＤ表示されている場合に、上下ボタン１０２ａ及び左右ボタン１０２ｂでカーソルを移動し、決定ボタンにより決定するために使用される。アップダウンボタン１０３は、例えば、チャンネルを順番に変更するために使用される。
（２）地上波デジタル放送の越境受信
図３は、地上波デジタル放送の越境受信を説明するための説明図である。ここでは、受信機１が大阪にある場合を例に説明する。地上波デジタル放送の３桁のチャンネル番号は、ＡＲＩＢの規格により式（１）から求められる。
サービス種別＊２００＋リモコンキーＩＤ＊１０＋（サービス番号＋１）・・・（１）
ここで、サービス種別はテレビの場合には０である。また、リモコンキーＩＤ＝１、サービス番号＝０の場合は、チャンネル番号は「０１１」である。チャンネル番号の計算は各都道府県ごとに行われ、域内の放送局のチャンネル番号が域外の放送局のチャンネル番号と同一になる場合がある。
【００１９】
図３の例では、大阪府の放送局Ａ、和歌山県の放送局Ｂ及び徳島県の放送局Ｃに３桁の同一チャンネル番号「０１１」が割り当てられている。大阪府にある受信機１は、域内の放送局Ａに加え、域外の放送局Ｂ、放送局Ｃからも放送信号を受信可能である場合、放送局Ａ〜放送局Ｃはチャンネル番号０１１に加え、枝番号０〜１により区別される。具体的には、域内の放送局Ａには枝番号０、放送局Ｂには枝番号１、放送局Ｃには枝番号２が付加され、擬似的な４桁番号によって各放送局Ａ〜Ｃが区別される。
【００２０】
図４は、地上波デジタル放送の越境受信において放送局を選択する場合の画面例である。ここでは、図３で説明した３つの放送局Ａ，Ｂ，Ｃから放送を受信可能な場合について説明する。
【００２１】
数字ボタン１０１又はアップダウンボタン１０３によりチャンネル番号０１１を選択すると、デフォルトとして域内（枝番号０）の放送局が表示されるとともに、ロゴ情報２０１、チャンネル番号「０１１」、放送局選択情報２０３がＯＳＤ表示される。この例では、放送局Ａが域内（枝番号０）の放送局である。ロゴ情報２０１は、現在画面に表示されている放送局のロゴ情報である。この例では、放送局Ａのロゴ情報が表示される。チャンネル番号「０１１」は現在選択されている３桁番号である。放送局選択情報２０３は、同一チャンネル番号「０１１」で選択可能な放送局名と、各放送局に割り当てられたリモコン１０の数字ボタン１０１の各ボタンを含む。この例では、放送局名は、放送局Ａ、放送局Ｂ、放送局Ｃであり、放送局名に割り当てる各ボタンは、各放送局の枝番号＋１で算出される値である。この例では、放送局Ａの枝番号は「０」であり、０＋１＝１が割り当てられる。同様に、放送局Ｂの枝番号は「１」、放送局Ｃの枝番号は「２」であるから、各放送局に割り当てられる数字は２，３となる。例えば、放送局Ａの数字は１であるので、数字ボタン１０１のボタン「１」を押せば放送局Ａが選択されるようにする。このように枝番号に１を加算した数字を割り当てるのは、数字ボタン１０１においてボタン「０」はボタン「１」、「２」などと離れているため、ボタン「１」から割り当てることにより各放送局を隣接するボタンに割り当てるためである。なお、画面に表示されている放送局名を他の放送局と区別できるように反転表示したり、画面に表示されている放送局名の横にフラグを表示するようにしてもよい。
（３）フローチャート
図５は、枝番号変更の処理のフローチャートである。
【００２２】
ステップＳ１１：チャンネル番号（３桁番号）を選択する。
【００２３】
ステップＳ１２：ステップＳ１１で選択されたチャンネル番号と同一のチャンネル番号に複数の枝番号があるか否かを判定する。複数の枝番号がある場合にはステップＳ１３に移行し、複数の枝番号がない場合にはリターンする。
【００２４】
ステップＳ１３：図４のように、ロゴ情報２０１、３桁番号であるチャンネル番号２０２をＯＳＤ表示するとともに、放送局選択情報２０３をＯＳＤ表示する。
【００２５】
ステップＳ１４：リモコン１０の数字ボタン１０１が押下されたか否かを判定する。数字ボタン１０１が押下された場合にはステップＳ１５に移行し、数字ボタン１０１が押下されていない場合にはリターンする。
【００２６】
ステップＳ１５：ステップＳ１４で押下されたボタンに割り当てられた放送局の表示に切り換える。例えば、図４の例において、放送局Ａが表示されている場合に、数字ボタン１０１のボタン「３」が押下されると、「３」が割り当てられた放送局Ｃの表示に切り換える。
（４）まとめ
この地上波デジタル放送受信機によれば、同一チャンネルを有する域内及び域外の各放送局をリモートコントローラ１０の数字ボタン１０１に割り当て、域内及び域外の放送局の放送局名と、各放送局に割り当てられた数字ボタンの数字とを放送局選択情報としてＯＳＤ表示する。従って、ユーザは、放送局選択情報から放送局名に対応するボタンを確認し、そのボタンをを入力することにより、境受信の場合も放送局の選択を容易にできる。
【００２７】
また、越境受信可能なチャンネル番号を選択した場合には、まず、多くのユーザにとって選択の可能性が高い域内の放送局を選択することにより、放送局の選択をより効率的に行うことができる。
【００２８】
【発明の効果】
本発明によれば、地上波デジタル放送受信機において、域内及び域外における同一チャンネル番号の複数の放送局から受信可能な場合に、放送局の選択を容易に行える。
【図面の簡単な説明】
【図１】本発明の一実施形態に係る地上波デジタル放送受信機１の機能ブロック図。
【図２】リモコン１０の模式図。
【図３】地上波デジタル放送の越境受信を説明するための説明図。
【図４】地上波デジタル放送の越境受信において放送局を選択する場合の画面例。
【図５】放送局の選択処理のフローチャート。
【符号の説明】
１  地上波デジタル放送受信機
２  チューナ
３  デジタルデコーダ
４  ＯＳＤ回路
５  メモリ
６  制御部
７  操作部
８  赤外線受信部
９  アンテナ
１０  リモコン
１１  表示装置
１０１  数字ボタン
１０２  十字ボタン
１０３  アップダウンボタン
【図１】
2004312207.tif 000003
【図２】
2004312207.tif 000004
【図３】
2004312207.tif 000005
【図４】
2004312207.tif 000006
【図５】
2004312207.tif 000007